(57)【要約】      （修正有）【課題】装飾を兼ねて、リフィルのリング穴の周囲を補強することができるリフィル用補強テープ及びそのパッケージを提供する。【解決手段】システム手帳のリフィル用の補強テープ及びそのパッケージであり、テープ２に模様が施されており、システム手帳のリフィルに形成されたバインダーのリング穴に対応して、当該リング穴の間隔に合わせてリング穴用貫通孔２１を複数備えた補強テープと、ロール状の当該補強テープを収納する山型のパッケージとしている。【選択図】図１
0003230488.tif 000002
【実用新案登録請求の範囲】
【請求項１】
模様が施された補強テープであって、
システム手帳のリフィルに形成されたバインダー用のリング穴に対応して、当該リング穴の間隔に合わせて複数の貫通孔を有することを特徴とする補強テープ。
【請求項２】
長辺の一方を直線とし、前記長辺の他方を凹凸のある曲線としたことを特徴とする請求項１記載の補強テープ。
【請求項３】
長辺の他方をスカラップ形状としたことを特徴とする請求項２記載の補強テープ。
【請求項４】
リング穴に対応しない位置に、複数の飾り穴を備えたことを特徴とする請求項１乃至３のいずれか記載の補強テープ。
【請求項５】
長辺の長さがリフィルの長辺の長さになるように表面に目印を備える請求項１乃至４のいずれか記載の補強テープ。
【請求項６】
ロール状としたことを特徴とする請求項１乃至５のいずれか記載の補強テープ。
【請求項７】
請求項６記載の補強テープを収納するパッケージであって、
四角形状の３つの面を備え、前記３つの面が互いに接続され、１つの面を底面とする山型のスタンド形状であり、
前記底面以外の２面に前記補強テープの一部を突出させる窓部が設けられていることを特徴とするパッケージ。
【考案の詳細な説明】
【技術分野】
【０００１】
本考案は、システム手帳のリフィルに用いるリフィル用補強テープとそのパッケージに係り、特に装飾を兼ねてバインダーのリングに係合する穴の周囲を補強することができるリフィル用補強テープ及びそのパッケージに関する。
【背景技術】
【０００２】
［先行技術の説明］
システム手帳のリフィルは、予め所定のバインダーのリング（綴じ金具）に合わせた穴（リング穴）が設けられており、リング穴をリングに係合させてリフィルを綴じるようになっている。
リフィルの穴の周囲は、リングとの摩擦等により他の部分に比べて傷みやすい。
また、手帳のリフィル用紙としては、かさばらないよう、薄くて軽いものがあり、このような用紙では、リング穴は特に傷みやすいものである。
そのため、従来、リング穴の周囲を補強（以下、「リング穴を補強」と称する）するためのシール等があった。
【０００３】
また、従来、マスキングテープは様々な模様が施されたものがあり、ノートや手帳等に貼って用いられている。更に、穴が設けられたマスキングテープもあるが、穴は単に装飾用としてデザイン性を高める目的で設けられていた。
【０００４】
［関連技術］
尚、関連する先行技術文献として、特開平０７−２８５３８７号公報「穴あき粘着テープ」（特許文献１）、特開２０１７−１５９５３５号公報「粘着テープ重合体」（特許文献２）、実用新案登録第３２００６６６号公報「装飾用粘着テープ」（特許文献３）がある。
【０００５】
特許文献１には、バインダーに綴じるために、テープの幅の半分を粘着テープとし、残り半分を不粘着テープとしたロール状のテープが記載されている。
特許文献２には、付箋のように短冊状に重ね合わせたマスキングテープが記載されている。
特許文献３には、ロール状の粘着テープにおいて、抜き孔部分を有する装飾用粘着テープが記載されている。
【先行技術文献】
【特許文献】
【０００６】
【特許文献１】特開平０７−２８５３８７号公報
【特許文献２】特開２０１７−１５９５３５号公報
【特許文献３】実用新案登録第３２００６６６号公報
【考案の概要】
【考案が解決しようとする課題】
【０００７】
しかしながら、従来のマスキングテープは、単に装飾用として用いられるものが多く、システム手帳用リフィルのリング穴を補強することができるものとはなっていないという問題点があった。
また、従来のリング穴を補強するシール等は、補強に特化しており、好みに合わせてリフィルを装飾できるものではないという問題点があった。
【０００８】
尚、特許文献１及び特許文献２には、マスキングテープのように模様が施され、システム手帳のリフィルに設けられたリング穴の間隔に合わせて貫通孔が形成された補強テープは記載されていない。
【０００９】
本考案は上記実状に鑑みて為されたものであり、装飾を兼ねて、リフィルのリング穴の周囲を補強することができるリフィル用補強テープ及びそのパッケージを提供することを目的とする。
【課題を解決するための手段】
【００１０】
上記従来例の問題点を解決するための本考案は、模様が施された補強テープであって、システム手帳のリフィルに形成されたバインダー用のリング穴に対応して、当該リング穴の間隔に合わせて複数の貫通孔を有することを特徴としている。
【００１１】
また、本考案は、上記補強テープにおいて、長辺の一方を直線とし、前記長辺の他方を凹凸のある曲線としたことを特徴としている。
【００１２】
また、本考案は、上記補強テープにおいて、長辺の他方をスカラップ形状としたことを特徴としている。
【００１３】
また、本考案は、上記補強テープにおいて、リング穴に対応しない位置に、複数の飾り穴を備えたことを特徴としている。
【００１４】
また、本考案は、上記補強テープにおいて、長辺の長さがリフィルの長辺の長さになるように表面に目印を備えることを特徴としている。
【００１５】
また、本考案は、上記補強テープにおいて、ロール状としたことを特徴としている。
【００１６】
また、本考案は、上記ロール状の補強テープを収納するパッケージであって、四角形状の３つの面を備え、当該３つの面が互いに接続され、１つの面を底面とする山型のスタンド形状であり、底面以外の他の２面に補強テープの一部を突出させる窓部が設けられていることを特徴としている。
【考案の効果】
【００１７】
本考案によれば、模様が施された補強テープであって、システム手帳のリフィルに形成されたバインダー用のリング穴に対応して、当該リング穴の間隔に合わせて複数の貫通孔を有する補強テープとしているので、リフィルのリング穴が形成された辺に貼付することで、リフィルを装飾することができると共に、複数のリング穴を一度に補強することができる効果がある。
【００１８】
また、本考案によれば、長辺の一方を直線とし、前記長辺の他方を凹凸のある曲線とした上記補強テープとしているので、直線形状のリフィルの縁に合わせて貼りやすくすると共に、装飾性を向上させることができる効果がある。
【００１９】
また、本考案によれば、上記補強テープにおいて、長辺の他方をスカラップ形状としたり、リング穴に対応しない位置に、複数の飾り穴を備えた上記補強テープとしているので、テープにレースのような雰囲気を与え、装飾性を一層高めることができる効果がある。
【００２０】
また、本考案によれば、長辺の長さがリフィルの長辺の長さになるように表面に目印を備える上記補強テープとしているので、目印に合わせてカットすれば、本補強テープの貫通孔をリング穴の位置に一致させて、リフィルの長辺に過不足なく貼付でき、使い勝手を向上させることができる効果がある。
【図面の簡単な説明】
【００２１】
【図１】本補強テープの概略構成を示す説明図である。
【図２】本補強テープの使用例（１）を示す説明図である。
【図３】本補強テープのデザイン例（１）の概略図である。
【図４】本補強テープのデザイン例（２）の概略図である。
【図５】本補強テープのデザイン例（３）の概略図である。
【図６】本補強テープの使用例（２）を示す説明図である。
【図７】本パッケージの概略構成を示す説明図である。
【考案を実施するための形態】
【００２２】
本考案の実施の形態について図面を参照しながら説明する。
［実施の形態の概要］
本考案の実施の形態に係るリフィル用補強テープ（本補強テープ）は、装飾用のマスキングテープのようにテープに模様が施されており、システム手帳のリフィルに形成されたバインダーのリング穴に対応して、当該リング穴の間隔に合わせて貫通孔を備えたものであり、本補強テープをリング穴が設けられたリフィルの長辺に合わせて貼ることで、リフィルを自分好みに装飾できると共に、複数のリング穴を一度に簡単に補強することができるものである。
【００２３】
また、本補強テープは、リフィルにおけるリング穴が配置された辺（長辺）の長さに合わせて表面に目印が設けられており、当該目印に合わせてカットすれば、本補強テープの貫通孔の位置をリング穴と一致させて、リフィルの長辺に過不足なく貼付でき、一層使い勝手を向上させることができるものである。
【００２４】
［本補強テープの構成：図１］
本補強テープの構成について図１を用いて説明する。図１は、本補強テープの概略構成を示す説明図である。
図１に示すように、本補強テープは、芯１と、テープ２とから構成されており、テープ２が芯１の周囲に巻き付けられて、ロール部３を形成している。
【００２５】
各部について説明する。
芯１は、テープ２が巻き付けられてロール部３を構成するための芯であり、テープ２の幅と同じ高さの円筒形状の部材である。
【００２６】
テープ２は、リフィルに貼り付けられる部材であり、例えばポリプロピレン（Poly-Propylene；ＰＰ）等の丈夫な素材で形成され、表面には模様が施され、裏面は粘着剤が塗布された粘着面となっている。
そして、本補強テープの特徴として、リング穴用貫通孔（貫通孔）２１が複数形成されている。
【００２７】
貫通孔２１は、システム手帳のリングに係合するリフィルのリング穴に重なるようにリング穴と同一の間隔（ピッチ）で配置されている。
図１の例では、６穴バインダー用のリフィルに合わせて、貫通孔２１が設けられている。
【００２８】
更に、テープ２には、複数の目印３１が等間隔に設けられている。
目印３１は、本補強テープをカットする際の目安となるものであり、目印３１の間隔はリフィルの長辺（リング穴が配置されている辺）の長さと同一で、且つ貫通孔２１の位置がリフィルにおけるリング穴の配置と一致するように形成されている。
図１では、目印３１を点線で示しているが、模様や色分け等によって示すようにしてもよい。
これにより、目印３１の部分でテープ２をカットすれば、リフィルに合わせて過不足なくテープをカットして、貫通孔２１をリング穴に合わせて貼ることができ、便利である。
【００２９】
そして、テープ２が芯１に巻き付けられて、ロール部３が形成されている。
本補強テープをロール形状とすることで、必要な時に必要な量だけ引き出して利用でき、残った部分がしわになったりせず、取扱いが容易である。
【００３０】
［本補強テープの使用例（１）：図２］
次に、本補強テープの使用例（１）について図２を用いて説明する。図２は、本補強テープの使用例（１）を示す説明図である。
ここでは、Ａ５サイズ６穴のリフィルに本補強テープを貼った状態を示しているが、本補強テープは、他のサイズ、穴数のリフィルに対応させて形成することも可能である。
【００３１】
図２では、Ａ５のリフィル４において、リング穴が配置された長辺に沿って本補強テープを貼り付けた状態を示している。
テープ２を、上述した目印３１部分でカットして、端部をリフィル４の短辺に合わせて、長辺に沿って貼ると、リング穴用貫通孔２１ａ，２１ｂ，２２ｃ，２１ｄ，２１ｅ，２１ｆ，２１g（各々を区別する必要がない場合には貫通孔２１と記載）は、それぞれリフィル４に形成されたリング穴に重なる。
【００３２】
テープ２の幅は１５mm、各リング穴用貫通孔２１の直径は６．３mmとしている。
また、リング穴用貫通孔２１は３つずつ２つのグループに分かれており、各グループ内の貫通孔２１同士の間隔（ピッチ）は１９mmであり、リフィル４のリング穴の間隔と一致している。
グループ同士の距離（貫通孔２１ｃの下端から貫通孔２１ｄの上端までの距離）は、６４mmとしており、リング穴用貫通孔２１ａの上端からリング穴用貫通孔２１ｆの下端までの長さは、１５２mmとなっている。
【００３３】
ここで、リフィル４のリング穴の直径は約６mmであり、テープ２の貫通孔２１の方が若干大きく形成されている。
これにより、テープ２をリフィル４に貼り付ける際の位置合わせを容易にすると共に、裏面において、テープ２の粘着面がリング穴からはみ出てしまうのを防ぐことができるものである。
【００３４】
同様に、図２において、リフィル４の左側（リング穴が設けられた側）の長辺と各リング穴の左端部との距離は４mmであるのに対し、本補強テープのテープ２の左側の長辺と貫通孔２１の左端部との距離は、３．５mmとしている。つまり、貫通孔２１をリフィル４のリング穴に合わせて本補強テープを貼ると、テープの左端はリフィルの長辺より内側になる。
これにより、テープ２の粘着面がリフィル４の長辺からはみ出ないようにしている。
【００３５】
そして、本補強テープをリフィル４に貼ることにより、リング穴の周囲が、ポリプロピレン製のテープ２によって覆われて保護され、リング穴を補強することができるものである。
特に、本補強テープでは、リフィル４の長辺全体に亘って貼付することができるため、一度に複数のリング穴を補強すると共に、３つ並びのリング穴のグループの間の領域等を含む長辺全体を装飾しつつ補強できるものである。
【００３６】
［本補強テープのデザイン］
本補強テープのテープ２の表面には、マスキングテープのように様々な模様が施され、更に上述した貫通孔２１とは別の装飾用の貫通孔（装飾用貫通孔）が形成されて、デザイン性が高いものとなっている。そして、ユーザは自分の好みに応じて本補強テープを選択して、リフィル４に貼付することで、リング穴を補強するだけでなく、リフィルを装飾できるものである。
【００３７】
［本補強テープのデザイン例（１）〜（３）：図３〜図５］
本補強テープのデザイン例について、図３〜図５を用いて説明する。図３は、本補強テープのデザイン例（１）の概略図であり、図４はデザイン例（２）の概略図であり、図５はデザイン例（３）の概略図である。
また、図３〜図５において、（ａ）はテープ２の表面を示す図、（ｂ）はカッティングを明確にするため、シルエットを示す図としている。各図は、図１に示した目印から目印までの単位長さのデザインを示しており、本補強テープのテープ２には、当該単位長さのデザインが繰り返し施されている。
【００３８】
図３〜図５に示すように、本補強テープのデザイン例（１）〜デザイン例（３）では、いずれも表面に複数色を用いた図柄が描かれており、長さ方向の一方の辺（一方の長辺）は直線状にカットされ、他方の長辺は複数の円弧が組み合わされたような、スカラップ形状にカットされ、スカラップ状長辺２３となっている。
一方の長辺が直線状に形成されることにより、直線状のリフィルの辺に合わせて真っ直ぐ貼るのが容易になるものである。
【００３９】
また、デザイン例（１）〜デザイン例（３）では、更に、リング穴用貫通孔２１とは別の装飾用貫通孔（飾り穴）２２が複数形成されている。
装飾用貫通孔２２の大きさや形状は多様であり、長辺をスカラップ状に形成することに加えて、多くの装飾用貫通孔２２を形成することによって、テープ２にレースのような雰囲気を与え、装飾性を向上させるものである。
【００４０】
尚、デザイン例（１）〜（３）においても、直線状の長辺からリング穴用貫通孔２１ａ〜２１ｆの左端部までの距離は３．５mmであり、テープ２の最大幅（直線状の長辺からスカラップ状長辺２３の最も突出した部分までの長さ）は、約１５mmとなっている。
このように、本補強テープは様々な図柄やカッティングを組み合わせて、個性的な模様となるよう工夫されている。
【００４１】
［本補強テープの使用例（２）：図６］
次に、本補強テープの使用例（２）について図６を用いて説明する。図６は、本補強テープの使用例（２）を示す説明図である。
本補強テープは、デザイン性に優れているので、図６の左側に示すように、リフィル４のリング穴に合わせてリング穴の補強として貼り付けてもよいし、図６に右側に示すように、穴の開いた飾りテープとして任意の場所に貼り付けて使用してもよい。飾りテープとして使用する場合には、任意の長さでカットして自由に装飾することができる。
尚、図６ではテープの穴部分をわかりやすく示すために、リフィル４を黒地としている。
【００４２】
［本パッケージ：図７］
次に、本補強テープを収納するパッケージ（本パッケージ）について図７を用いて説明する。図７は、本パッケージの概略構成を示す説明図である。
図７に示すように、本パッケージ５は、３つの面を備えた山型のスタンド状の形状であり、底面と２つの側面とを備えている。
そして、３つの面に囲まれた内部の空間に本補強テープを収納するものである。
【００４３】
具体的には、本パッケージ５は、山型の斜面となる側面５１，５２と、底面５３を備えており、各面は四角形で、側面５１，５２は略同一形状である。
更に、側面５１には窓部５４ａが設けられ、側面５２には窓部５４ｂが設けられている。
【００４４】
窓部５４ａ，５４ｂの幅（水平方向の長さ）は、本補強テープ１０の幅より大きく、窓部５４ａ，５４ｂの高さ（側面５１，５２の長辺方向の長さ）は、本補強テープ１０のロール部の直径より小さく形成されている。
そして、本パッケージ５に収納された本補強テープ１０の一部が当該窓部５４ａ，５４ｂから突出している。
【００４５】
つまり、本パッケージ５は、山型のスタンド状に組み立てる前に本補強テープ１０を収納して、窓部５４ａ，５４ｂから本補強テープ１０の一部を突出させて、３つの面を三角柱状に組み立て、本補強テープ１０が外れないように保持する。
これにより、本パッケージ５を、例えば、本補強テープ１０の商品パッケージとして利用できるものである。
但し、パッケージ５の窓部５４ａ，５４ｂからテープ２を引き出して使用するものとはなっていない。
【００４６】
［実施の形態の効果］
本補強テープによれば、マスキングテープのようにテープ２に模様が施されており、システム手帳のリフィル４に形成されたバインダーのリング穴に対応して、当該リング穴の間隔に合わせてリング穴用貫通孔２１を複数備えたリフィル用の補強テープとしているので、本補強テープをリング穴が設けられたリフィル４の長辺に合わせて貼ることで、リフィル４を装飾できると共に、簡単にリング穴を補強することができる効果がある。
【００４７】
また、本補強テープによれば、リフィル４の長辺の長さに合わせて表面に目印が設けられているので、当該目印に合わせてカットすれば、本補強テープの貫通孔２１の位置をリング穴と一致させて、リフィル４の長辺に過不足なく貼付でき、一層使い勝手を向上させることができる効果がある。
【産業上の利用可能性】
【００４８】
本考案は、装飾を兼ねて、リフィルのリング穴の周囲を補強することができるリフィル用補強テープ及びそのパッケージに適している。
【符号の説明】
【００４９】
１…芯、  ２…テープ、  ３…ロール部、  ４…リフィル、  ５…本パッケージ、  １０…補強テープ、  ２１ａ，２１ｂ，２１ｃ，２１ｄ，２１ｅ，２１ｆ…リング穴用貫通孔、  ２２…装飾用貫通孔、  ２３…スカラップ状長辺、  ３１…目印、  ５１，５２…側面、  ５３…底面、  ５４ａ，５４ｂ…窓部
【図１】
0003230488.tif 000003
【図２】
0003230488.tif 000004
【図３】
0003230488.tif 000005
【図４】
0003230488.tif 000006
【図５】
0003230488.tif 000007
【図６】
0003230488.tif 000008
【図７】
0003230488.tif 000009